(57)【要約】【課題】本発明は、有底カップ状円筒部に装着される回路基板の裏側に、ポッティング材での封止による内部への気泡の残留を無くし、放熱・防湿・防滴等の所期効果への障害の排除を目的とする。【解決手段】本発明に成る軸流ファンは、駆動回路が、外気との遮断のためポッティング材により充填埋設されているもので、該駆動回路が、弾性を有する保持部材を介してベンチュリケースと一体のカップ状円筒部内周面に嵌着保持され、該円筒部の底面に孔が形成され、該孔が、カップ状円筒部底面と弾性部材で嵌着保持される回路基板とで囲まれた空間に充填されるポッティング材の注入口であり、好ましくは、前記弾性を有する保持部材が、その内周が回路基板外周縁に嵌合する形状で回路基板に嵌着され、もしくは回路基板に一体成型され、前記円筒部内周面に圧接保持されるように構成される。【選択図】        図２
2004190576.tif 000002
【特許請求の範囲】
【請求項１】
円筒状風洞部と、該風洞部から通風路を横断する複数の足で連結されて一体を成す円筒部を有するベンチュリケースと、前記円筒部の内面に配置された、駆動用電動機及び該電動機を制御するため回路基板と該回路基板に搭載された電子部品を有する駆動回路とを備え、該駆動回路が、外気との遮断のためポッティング材により充填埋設されている軸流ファンにおいて、
前記駆動回路と円筒部内周面との嵌着・固定手段として、両者に介挿される弾性を有する保持部材を備えること、特徴とする軸流ファン。
【請求項２】
前記円筒部はカップ状を成すその底面に孔を備え、該孔が、カップ状円筒部底面と弾性部材で嵌着保持される回路基板で囲まれた空間へのポッティング材の充填・注入口として形成されていること、を特徴とする請求項１に記載の軸流ファン。
【請求項３】
前記弾性を有する保持部材は、その内周が回路基板外周縁に嵌合する形状を備え、回路基板に嵌着された状態で円筒部内周面に圧接保持されるように構成されていること、を特徴とする請求項１もしくは２に記載の軸流ファン。
【請求項４】
前記弾性を有する保持部材は、回路基板外周縁への一体成型で形成されていること、を特徴とする請求項１もしくは２に記載の軸流ファン。
【請求項５】
前記弾性を有する保持部材は、その外周縁が、複数の周方向溝を有するヒダ状を成すこと、を特徴とする請求項１から４のいずれかに記載の軸流ファン。
【発明の詳細な説明】
【０００１】
【発明の属する技術分野】
本発明は、軸流ファン、特に内装される駆動回路の放熱・防湿・防滴等を目的としたポッティング処理を施した軸流ファンに関する。
【０００２】
【従来の技術】
【特許文献１】発明の名称；キャンドモータポンプとその製造方法
特開平１０−３１１２９０号公報）
【０００３】
駆動用電動機とその駆動回路を内装するポンプやファンで、駆動回路の放熱・防湿・防滴等を目的としてポッティング処理を行うことは、上述特許文献１に示され軸流ファンとしては図５に示す全体像や、図４に見る例を引用するまでもなく周知のものであり、詳細は省くが、その改良に係る技術も種々知られている。
【０００４】
【発明が解決しようとする課題】
上述の如き従来の構成は、有底カップ状円筒部１−１に、所定の手段で駆動回路３を内装固定し、開口端を上向きとしてポッティング材５を注入することでポッティング作業を行うが、注入したポッティング材５は、主に回路基板３−１と円筒部１−１の内周面との隙間を通って回路基板３−１の裏側に流入する際、その裏側が有底カップ状円筒部１−１での密室状態となることから、ポッティング材５での封止で内部に気泡が残り易く、放熱・防湿・防滴等の所期効果への障害を生じ易く、該障害の排除が課題であった。
【０００５】
【課題を解決するための手段】
本発明に成る軸流ファンは、ベンチュリケースと、これと一体の円筒部の内面に設けられた、駆動用電動機及び該電動機を制御するための駆動回路とを有し、該駆動回路が、外気との遮断のためポッティング材により充填埋設されているもので、前記円筒部内面に収容される駆動回路が、弾性を有する保持部材を介して前記円筒部内周面に嵌着保持され、前記円筒部の底面に孔を備え、該孔が、カップ状円筒部底面と弾性部材で嵌着保持される回路基板で囲まれた空間へのポッティング材の充填・注入口であり、好ましくは、前記弾性を有する保持部材が、その内周が回路基板外周縁に嵌合する形状で回路基板に嵌着され、もしくは回路基板外周縁に一体成型され、前記円筒部内周面に圧接保持されるように構成されている。
【０００６】
【実施例】
軸流ファンの全体像については、上述の如く周知のものであるから省略して、以下図面によって本発明の実施例を説明する。
【０００７】
図１は、軸流ファンでの駆動回路３がポッティング処理されている例の様子を示し、駆動用電動機６の駆動回路３が、弾性を有する保持部材４を介して前記ベンチュリケースの円筒部１−１の内周面に嵌着保持され、回路基板３−１がカップ状円筒部１−１の底面に対向する裏側に電子部品３−２を搭載するもので、カップ状円筒部１−１の底面に形成された孔１−１１からポッティング材５を注入する構成を示すものである。
【０００８】
図に見るようにカップ状円筒部１−１の底面を上とし、該底面に設けられた注入口１−１１からポッティング材５が注入される際、その受け面となる回路基板３−１と上記円筒部１−１の内周面との隙間を封止すると共に、当該回路基板３−１を所定の位置に保持する手段として、回路基板３−１の外周縁に、弾性を備える保持部材４が介挿・併用される。
【０００９】
前記弾性を有する保持部材４は、その内周が回路基板３−１の外周縁に嵌合する形状を備え、回路基板３−１に嵌着された状態で円筒部１−１の内周面に圧接保持されるように構成されても善いし、または別部材としての取り扱い性への懸念から、当該回路基板３−１の外周縁に一体形成する構成でも善い。
【００１０】
また、該保持部材４は、上述のようなポッティング材５の注入に際してのポッティング材漏出防止を確実にするために、円筒部１−１の内周面との当接部形状を、図３に拡大表示するように複数の溝を有するヒダ状４−１とすることも好ましい。
【００１１】
図２は、上述駆動回路３が回路基板３−１の両面に電子部品３−２を搭載するような場合に、駆動用電動機６の固定子６−１の側にもポッティング処理される様子を示すもので、図示の通り、回路基板３−１の裏側がポッティング処理されているので、カップ状円筒部１−１の開口端から注入するポッティング材５の漏出や回路基板３−１の保持に何等支障がないことは言うまでも無い。
【００１２】
また、図２を参照して、カップ状円筒部１−１の底面側の面に電子部品３−２の搭載が無い構成でも、回路基板３−１の、駆動用電動機６の固定子６−１の側だけにポッティング処理を施す場合でも、上述保持部材４は、当該回路基板３−１を所定の位置に確実に保持し、封止する作用効果を持つことに変わりは無い。
【００１３】
【発明の効果】
本発明に成る軸流ファンは、内装される駆動回路のポッティング処理での、有底カップ状円筒部に装着される回路基板の裏側に、ポッティング材での封止による内部への気泡の残留を無くし、放熱・防湿・防滴等の所期効果の減退が防止できる。
【図面の簡単な説明】
【図１】本発明に成る例のポッティング処理状況を示す説明図である。
【図２】本発明に成る両面へのポッティング処理状況を示す説明図である。
【図３】本発明に成る保持部材の例の拡大説明図である。
【図４】従来技術に成る例のポッティング処理状況を示す説明図である。
【図５】本発明に係るポッティング処理を施した軸流ファンの例の断面図である。
【符号の説明】
１        ベンチュリケース
１−１    円筒部
１−１１  円筒部底面の注入孔
３        駆動回路
３−１    回路基板
３−２    電子部品
４        保持部材
４−１    外周面のヒダ
４−２    回路基板嵌合部
５        ポッティング材
６        駆動用電動機
６−１    固定子
６−２    回転子
７        隙間
【図１】
2004190576.tif 000003
【図２】
2004190576.tif 000004
【図３】
2004190576.tif 000005
【図４】
2004190576.tif 000006
【図５】
2004190576.tif 000007